(57)【要約】【課題】生体のアクセス方向によらず認証できる認証装置を実現する。【解決手段】複数の方向からアクセスが可能な認証装置１０であって、生体から生体情報を取得する生体情報取得手段２２０と、生体のアクセス方向を検知する検知手段２５０と、認証用のテンプレートをあらかじめ記憶する記憶手段１３６と、前記検知した生体のアクセス方向情報と生体から取得した生体情報と前記テンプレートを用いて前記生体を認証する認証手段１１０とを備える。認証手段１１０は、前記生体のアクセス方向情報を用いて、前記テンプレートが取得されたときのアクセス方向と認証時の生体のアクセス方向を一致させるように、取得した生体情報またはテンプレートの変換を行って認証を実行する。【選択図】図１
2008197712.tif 000002
【特許請求の範囲】
【請求項１】
複数の方向からアクセスが可能な認証装置であって、
生体から生体情報を取得する生体情報取得手段と、
生体のアクセス方向を検知する検知手段と、
認証用のテンプレートをあらかじめ記憶する記憶手段と、
前記検知した生体のアクセス方向情報と生体から取得した生体情報と前記テンプレートを用いて前記生体を認証する認証手段と、
を備える、認証装置。
【請求項２】
請求項１に記載の認証装置において、
前記認証手段は、前記生体のアクセス方向情報を用いて、前記テンプレートが取得されたときのアクセス方向と認証時の生体のアクセス方向を一致させるように、取得した生体情報またはテンプレートの変換を行って認証を実行する、認証装置。
【請求項３】
請求項１に記載の認証装置において、
前記記憶手段はアクセス方向に応じた複数のテンプレート情報を記憶し、
前記認証手段は前記記憶手段から読み出した前記生体のアクセス方向情報と一致するアクセス方向のテンプレートを用いて前記生体を認証する、認証装置。
【請求項４】
請求項１から請求項３のいずれか一項に記載の認証装置において、
生体を測定位置に固定するための固定手段を備える、認証装置。
【請求項５】
請求項４に記載の認証装置において、さらに、
前記固定手段に生体の挿入方向を検知する検知手段を備える、認証装置。
【請求項６】
請求項４に記載の認証装置において、さらに、
前記生体のアクセス扉と、
前記アクセス扉の開閉検知手段とを備える、認証装置。
【請求項７】
請求項１から請求項６のいずれかに記載の認証装置において、さらに、
一の方向から生体がアクセスされた場合に他の方向からの生体のアクセスを防止する、アクセス防止手段を備える、認証装置。
【請求項８】
複数の方向からアクセスが可能な認証装置であって、
生体から生体情報を取得する生体情報取得手段と、
アクセス方向に応じた複数の認証用のテンプレートとをあらかじめ記憶する記憶手段と、
生体から取得した生体情報と前記記憶手段に記憶されている複数の認証用のテンプレートとを照合することにより前記生体を認証する認証手段と、
を備える、認証装置。
【発明の詳細な説明】
【技術分野】
【０００１】
本発明は生体認証によりドアの施錠・解錠を制御する認証装置に関する。
【背景技術】
【０００２】
生体情報を用いて入退出管理を行う装置として、ドアの内側と外側の両側に認証装置を有する装置（特許文献１）、あるいは、認証装置を１カ所に限定し装置を物理的に回転させてドアの内側と外側の双方から使用可能とする装置（特許文献２）が知られている。
【０００３】
【特許文献１】特開平２−６４７６４号公報
【特許文献２】特開２００５−１９４８２０号公報
【発明の開示】
【発明が解決しようとする課題】
【０００４】
しかし、ドアの内側と外側の両側に認証装置を有する装置では１つのドアに２つの認証装置が必要となりコストがかかるという課題がある。認証装置を物理的に回転させる装置では回転のための駆動部が必要となり装置が大きくなるという課題がある。
【０００５】
本発明は上記課題の少なくとも一部を解決するための発明されたものであり、生体のアクセス方向によらず認証できる認証装置を実現することを目的とする。
【課題を解決するための手段】
【０００６】
本発明の第１の態様に係る認証装置は、複数の方向からアクセスが可能な認証装置であって、生体から生体情報を取得する生体情報取得手段と、生体のアクセス方向を検知する検知手段と、認証用のテンプレートをあらかじめ記憶する記憶手段と、前記検知した生体のアクセス方向情報と生体から取得した生体情報と前記テンプレートを用いて前記生体を認証する認証手段とを備える。本発明の第１の態様に係る認証装置によれば、生体のアクセス方向を検知し、アクセス方向に基づいて生体から取得した生体情報とテンプレートを照合する。その結果、生体のアクセス方向によらず１つの認証装置で認証できる。また、認証装置の低コスト化が図れる。
【０００７】
本発明の第１の態様に係る認証装置において、前記認証手段は、前記生体のアクセス方向情報を用いて、前記テンプレートが取得されたときのアクセス方向と認証時の生体のアクセス方向を一致させるように、取得した生体情報またはテンプレートの変換を行って認証を実行することが好ましい。本発明の第１の態様に係る認証装置によれば、テンプレートが取得されたときのアクセス方向と認証の生体のアクセス方向が一致するように生体情報またはテンプレートの変換を行うので、生体のアクセス方向によらず１つの認証装置で認証できる。また、認証装置の低コスト化が図れる。さらに、認証装置自体を回転させる必要がないので認証装置の小型化が図れる。
【０００８】
本発明の第１の態様に係る認証装置において、前記記憶手段はアクセス方向に応じた複数のテンプレート情報を記憶し、前記認証手段は前記複数のテンプレートのうち前記生体のアクセス方向情報と一致するアクセス方向のテンプレートを前記記憶手段から読み出して前記生体を認証することが好ましい。本発明の第１の態様に係る認証装置によれば、生体情報またはテンプレートの変換を行わないので、認証時間を短くすることができる。
【０００９】
本発明の第１の態様に係る認証装置において、生体を測定位置に固定するための固定手段を備えることが好ましい。本発明の第１の態様に係る認証装置によれば、測定位置が固定されるため、生体情報の生成時にデータがシフトしにくくなりテンプレートとの照合が容易になる。
【００１０】
本発明の第１の態様に係る認証装置において、さらに、前記固定手段に生体の挿入方向を検知する検知手段を備えることが好ましい。本発明の第１の態様に係る認証装置によれば、生体の固定手段に生体の挿入方向を検知する検知手段を備えているので、他に生体のアクセス方向の検知手段を備える必要がない。したがって、認証装置の低コスト化が図れる。
【００１１】
本発明の第１の態様に係る認証装置において、さらに、前記生体のアクセス扉と、前記アクセス扉の開閉検知手段とを備えることが好ましい。本発明の第１の態様に係る認証装置によれば、アクセス扉の開閉検知手段を備えているので、他に生体のアクセス方向の検知手段を備える必要がない。したがって、認証装置の低コスト化が図れる。
【００１２】
本発明の第１の態様に係る認証装置において、さらに、一の方向から生体がアクセスされた場合に他の方向からの生体のアクセスを防止する、アクセス防止手段を備えることが好ましい。本発明の第１の態様に係る認証装置によれば、２つの生体が同時にアクセスすることを抑制できる。
【００１３】
本発明の第２の態様に係る認証装置は、複数の方向からアクセスが可能な認証装置であって、生体から生体情報を取得する生体情報取得手段と、アクセス方向に応じた複数の認証用のテンプレートとをあらかじめ記憶する記憶手段と、生体から取得した生体情報と前記記憶手段に記憶されている複数の認証用のテンプレートとを照合することにより用いて前記生体を認証する認証手段とを備える。本発明の第２の態様に係る認証装置によれば、記憶手段はアクセス方向に応じた複数に認証用のテンプレートを記憶しているので生体のアクセス方向によらず１つの認証装置で生体の認証ができる。さらに生体のアクセス方向の検知手段を備えないので、低コスト化が図れる。
【発明を実施するための最良の形態】
【００１４】
図１および図２を用いて本実施例に係る認証装置の概略構成について説明する。図１は本実施例に係る認証装置１０のブロック図である。図２は生体画像データおよび本実施例に係る認証装置１０に記憶されているテンプレートを説明する説明図である。図２（ａ）が生体画像データを示し、図２（ｂ）が符号化後のデータを示す。本実施例に係る認証装置１０は例えばセキュリティエリアとセキュリティエリアの外部とを仕切るドアに用いられる。
【００１５】
認証装置１０は制御部１００と、生体情報取得部２００とドア制御部３００とキーボード４００とマウス４１０とディスプレイ５００を備える。
【００１６】
制御部１００は認証装置１０の中枢であり、生体情報取得部２００で取得した生体情報とあらかじめ記憶している認証用のテンプレートとを比較して認証を行う。なお、本実施例において、テンプレートとは、「事前に採取・登録された情報」をいう。制御部１００はＣＰＵ１１０とメモリ１２０とハードディスク１３０とドア用インターフェース１５０とネットワークインターフェース１６０と入力インターフェース１７０と出力インターフェース１８０を備える。
【００１７】
ＣＰＵ１１０は認証装置１０の全体の動作を制御する中央処理装置である。ＣＰＵ１１０は認証を行う。ＣＰＵ１１０は認証プログラム１３４を実行し、生体情報取得部２００で取得した生体情報とハードディスク１３０から読み出した認証用のテンプレートとが同じ挿入方向のデータとなるように生体情報について回転処理を行った後、生体情報とテンプレートとが一致するか否かを判断する。メモリ１２０は不揮発メモリであるＲＯＭ１２２とランダムアクセス可能な揮発メモリであるＲＡＭ１２４を備える。ＲＡＭ１２４は例えばＣＰＵ１１０が演算中のデータを一時記憶する。
【００１８】
ハードディスク１３０は例えばＯＳ１３２と認証プログラム１３４と認証データファイル１３６を記憶する。ＯＳ１３２は認証装置１０の基本動作を管理する基本プログラムである。認証プログラムは生体情報取得部２００で取得した生体情報とハードディスクから読み出した認証用のテンプレートとが一致するか否かを判断するためのプログラムである。認証データファイル１３６は例えば認証用のテンプレートが書き込まれたデータファイルである。本実施例では認証用のテンプレートには所定の方向から指を挿入したときの生体情報を登録している。
【００１９】
ドア用インターフェース１５０はドアに設けられる生体情報取得部２００とドア制御部３００を接続するためのインターフェースである。ネットワークインターフェース１６０は制御部１００をネットワーク６００に接続する。入力インターフェース１７０は例えばキーボード４００とマウス４１０を接続する。出力インターフェース１８０は例えばディスプレイ５００を接続する。
【００２０】
生体情報取得部２００は認証を実行するために生体の特徴を測定して生体情報を取得する。生体情報取得部２００は光源２１０と生体情報取得センサ２２０と画像処理部２３０とコントローラ２４０と挿入方向検知センサ２５０と挿入口鍵２６０とを備える。本実施例では、例えば、光源２１０は生体に近赤外線を照射する近赤外線光源であり、生体情報取得センサ２２０は近赤外線センサである。指に近赤外線を照射すると指の静脈中の赤血球の還元ヘモグロビンは近赤外線の波長の光を吸収する。その結果、生体情報取得センサ２２０は透過光を測定することにより図２（ａ）に示すような静脈部分が黒く映る生体の画像データを取得することができる。
【００２１】
画像処理部２３０は、生体情報取得センサ２２０が取得した生体の画像データから生体情報を生成する。生体情報の生成は例えば以下のように行なわれる。画像処理部２３０は血管部分が黒、他の部分が白になるように画像データを白黒２値のデジタルデータに変換する。画像処理部２３０は図２（ｂ）に示すように例えば特徴点の種類（例えば、分岐点、端点）とその位置を抽出し、特徴点の種類と位置からなる生体情報を生成する。画像処理部２３０は特徴点の種類とその位置を抽出する際に例えば測定精度よりも荒い精度で抽出することが好ましい。例えば体調の変化等により測定した画像データにわずかな違いが生じるような場合でも、同じ被認証者からは同じ生体情報を生成できるからである。なお画像処理部２３０は生体画像データをＣＰＵ１１０がデータ処理できるように白黒２値のデジタル化のみを行い、ＣＰＵ１１０がデジタル化されたデータを用いて特徴点の種類とその位置を抽出するようにしてもよい。画像処理部２３０に汎用的な画像処理デバイスを利用できるので、認証装置１０のコストを下げることができる。なお、本実施例では、生体情報として特徴点の種類とその位置を用いているが、他の生態的特徴を用いてもよい。
【００２２】
コントローラ２４０は光源２１０、挿入方向検知センサ２５０、挿入口鍵２６０の動作を制御する。挿入方向検知センサ２５０は生体の挿入方向を検知する。挿入口鍵２６０は生体が挿入されていない方の生体の挿入口を閉じてロックする。
【００２３】
ドア制御部３００は制御部１００の認証結果に基づいてセキュリティドア７００のドアロックを制御する。ドア制御部３００はセキュリティドア７００のロックを制御するためのドアロック制御部３１０を備える。
【００２４】
キーボード４００およびマウス４１０は例えば制御部１００に指示を与えるための入力装置である。ディスプレイ５００は例えば、認証結果をモニタするためのディスプレイである。
【００２５】
図３を用いて生体情報取得部２００が取り付けられたセキュリティドアの断面構造について説明する。図３は生体情報取得部２００が取り付けられたセキュリティドア７００の断面構造を模式的に示す説明図である。
【００２６】
セキュリティドア７００は生体測定室７１０と光源２１０と生体情報取得センサ２２０と画像処理部２３０とコントローラ２４０とドアロック制御部３１０とドアノブ７２０とを備える。
【００２７】
生体測定室７１０はセキュリティドア７００を貫通するように配置される。生体測定室７１０は生体挿入用扉７３０と挿入口鍵２６０とスライドパネル７４０とレール７５０とストッパ７６０と生体支持台７７０とを備える。
【００２８】
生体挿入用扉７３０は生体測定室７１０の入口に設けられるアクセス用の扉である。認証時には、生体挿入用扉７３０から例えば指を挿入する。挿入口鍵２６０は生体挿入用扉７３０をロックするための鍵である。挿入口鍵２６０はかんぬき２６２を備えており、生体挿入用扉７３０にかんぬき２６２を突き出して生体挿入用扉７３０をロックする。
【００２９】
スライドパネル７４０は生体の侵入により生体に押されて移動する。レール７５０はスライドパネル７４０を支えると共にスライドパネル７４０が移動する際のガイドとなる。ストッパ７６０はスライドパネル７４０が一定以上移動しないように止める。生体の位置が一定になるため、データのシフトが抑制される。その結果、照合が容易に実行される。ストッパ７６０には生体の挿入方向検知センサ２５０が配置され、スライドパネル７４０が挿入方向検知センサ２５０に接触することにより指の挿入方向が検知される。コントローラ２４０は指の挿入方向を検知すると、生体が挿入されなかった方の生体挿入用扉７３０をロックし、双方の生体挿入用扉７３０から生体が同時に挿入されることを抑制する。生体支持台７７０はセキュリティドアの両側に突き出ており、生体測定室７１０に挿入される生体を下から支える。その結果、生体指示台７７０は測定時に生体が上下に揺れることを抑制することができる。したがって、測定精度を向上することができる。
【００３０】
セキュリティドア７００は生体測定室７１０の下に生体情報取得センサ２２０と画像処理部２３０を備える。また、セキュリティドア７００は生体測定室７１０の上に光源２１０とコントローラ２４０を備える。なお、生体情報取得センサ２２０を生体測定室７１０の上に配置し、光源２１０を生体測定室７１０の下に配置してもよい。また、生体情報取得センサ２２０及び光源２１０を生体測定室７１０の下に配置し、生体からの反射光を利用して生体画像を取得してもよい。
【００３１】
図４から図６を用いて認証装置１０の動作について説明する。図４は認証装置１０の動作を説明するフローチャートである。図５は認証装置１０に指を挿入した時ときの状態を模式的に示す説明図である。図６は認証時の画像データの処理を模式的に示す説明図である。
【００３２】
認証を受けようとする者（以下「被認証者」という。）は認証装置１０の生体挿入用扉７３０から指を挿入する。被認証者は、スライドパネル７４０がストッパ７６０により止まるまで、指先でスライドパネル７４０を押す。スライドパネル７４０が停止した位置が指の測定位置となる。挿入方向検知センサ２５０は指の挿入方向を検知する（ステップＳ１００）。
【００３３】
コントローラ２４０は指の挿入方向を検知すると指の挿入側と反対側の生体挿入用扉７３０をロックする（ステップＳ１０５）。これにより他方の生体挿入用扉７３０からの生体の侵入が抑制される。
【００３４】
生体情報取得センサ２２０は生体の画像データを取得する（ステップＳ１１０）。図６（ａ）に取得した画像データを示す。画像処理部２３０は画像データから生体情報を生成する（ステップＳ１１５）。図６（ｂ）に画像データから生成した生体情報を示す。
【００３５】
ＣＰＵ１１０は画像処理部２３０により生成された生体情報とハードディスクに記憶されている認証用のテンプレートとが同じ挿入方向のデータとなるように生体情報の変換を行う（ステップＳ１２０）。ＣＰＵ１１０は、挿入方向検知センサからの信号により、指の挿入方向を検知する。ＣＰＵ１１０は、認証時に、認証用のテンプレートの取得時のアクセス方向と異なる方向から指が挿入された場合には、生体情報と認証用のテンプレートを比較するために、生体情報または認証用のテンプレートを回転させて指の挿入方向を一致させる。例えば本実施例ではＣＰＵ１１０は生成された生体情報に対して回転処理を行う。図６（ｃ）に回転処理後の生体情報を示す。ＣＰＵ１１０は認証時に取得した生体情報について回転処理を行う方が、回転処理が１回で済むので好ましい。なお、本実施例ではＣＰＵ１１０は生体情報の方を回転処理しているが、認証用のテンプレートの方を回転処理するようにしてもよい。本実施例においては、生体情報の挿入方向が認証用のテンプレートを測定したときの挿入方向と同じになるように、生体情報あるいはテンプレートのいずれかのデータの回転処理を行うことを正規化処理という。また、本実施例では生体情報を生成した後で正規化処理を行っているが、画像処理部２３０は、生体情報の生成（ステップＳ１１５）前に、取得した生体の画像データを回転する処理を実行してもよい。画像処理部２３０が画像データの回転処理を行うので、ＣＰＵ１１０の負担を減らすことができる。ＣＰＵ１１０は正規化処理した生体情報をＲＡＭ１２４に書き込む。なお、認証時の指の挿入方向と認証用テンプレートの取得時の指の挿入方向が同じ場合には、ＣＰＵ１１０は生体情報の正規化処理を行うことなく生体情報をＲＡＭ１２４に書き込む。認証時の指の挿入方向と認証用テンプレートの取得時の指の挿入方向が同じなので、正規化処理を行う必要がないからである。
【００３６】
ＣＰＵ１１０はハードディスク１３０から認証用のテンプレートを読み込む（ステップＳ１２５）。ＣＰＵ１１０はＲＡＭ１２４に書き込んだ生体情報と認証用のテンプレートを比較して照合を行う（ステップＳ１３０）。
【００３７】
ＣＰＵ１１０はＲＡＭ１２４に書き込んだ生体情報と認証用のテンプレートが一致しなかった場合には（ステップＳ１３５、Ｎ）、ハードディスクに登録されている全ての認証用のテンプレートと比較したか判断する（ステップＳ１４０）。ＣＰＵ１１０は全ての認証用のテンプレートと比較していない場合には（ステップＳ１４０、Ｎ）、別の認証用のテンプレートを読み込んで（ステップＳ１２５）同様に生体情報との比較を行う。ＣＰＵ１１０は全ての認証用のテンプレートと比較している場合には（ステップＳ１４０、Ｙ）、認証結果を表示する（ステップＳ１４５）。ＣＰＵ１１０はＲＡＭ１２４に書き込んだ生体情報と認証用のテンプレートが不一致の場合には、例えば警告ランプ（図示せず）を点灯させたりメッセージによる警告を行ったりすることにより認証結果を表示する。ＣＰＵ１１０は、認証結果を表示した後は、次の認証が要求されるまで（ステップＳ１００）待機する。
【００３８】
ＣＰＵ１１０はＲＡＭ１２４に書き込んだ生体情報と認証用のテンプレートが一致した場合には、ドアロック制御部３１０に対して、セキュリティドア７００の鍵を解錠させる（ステップＳ１４５）。セキュリティドア７００が一旦開いた後閉じた場合には、ＣＰＵ１１０はドアロック制御部３１０に対してセキュリティドア７００の鍵を施錠させる（ステップＳ１５０）。なおＣＰＵ１１０はドアロック制御部３１０にセキュリティドア７００の鍵を解錠させた後所定の時間内にセキュリティドア７００が開かなかった場合には、ドアロック制御部３１０に対してセキュリティドア７００の鍵を施錠させるのが好ましい。いつまでも解錠状態を続けるのはセキュリティ上好ましくない。
【００３９】
以上、本実施例によれば、ＣＰＵ１１０は、生体情報取得時のアクセス方向がハードディスクに記憶されている認証用のテンプレートを取得した時のアクセス方向と一致するように取得した生体情報に対して回転処理を行った後認証を行う。その結果、複数のアクセス方向からの生体の認証要求に対し、１つの認証装置で認証することができる。
【００４０】
また、本実施例によれば生体情報取得部２００が１つでよいので認証装置１００の低コスト化が図れる。さらに、認証装置の回転機構が不要となるので、認証装置１００の小型化が図れる。
【００４１】
本実施例では生体情報取得部２００をセキュリティドア７００に設けているが、セキュリティドア７００を挟む双方のエリアからアクセスできればどこに配置してもよい。例えば、生体情報取得部２００をセキュリティドア７００の近傍の壁に設けてもよい。
【００４２】
なお、本実施例では、指の静脈の血管パターンを測定しているが、例えば指の指紋・掌の形状・掌の血管パターンを測定するようにしてもよい。また測定には近赤外線を用いているが他の測定方法を用いてもよい。例えば、指の指紋を測定する場合には例えば静電容量を測定するようにしてもよい。
【００４３】
本実施例ではストッパ７６０に指の挿入方向を検知する挿入方向検知センサ２５０を設けているが、例えば図７に示すように生体挿入用扉７３０に隣接する位置に挿入方向検知センサ２５０を設けてもよい。図７は変形例に係る認証装置１０に指を挿入した時ときの状態を模式的に示す説明図である。変形例に係る認証装置１０は生体挿入用扉７３０に隣接する位置に挿入方向検知センサ２５０を備えている。その結果、生体挿入用扉７３０の開閉を検知して指の挿入方向を検知できる。
【００４４】
本実施例では生体測定室７１０への他方からの生体の挿入を、生体挿入用扉７３０をロックすることにより抑制しているが、スライドパネル７４０を移動しないようにロックしてもよい。
【００４５】
本実施例では１つの生体についての認証用のテンプレートは一方向から生体を挿入したときのデータを記憶しているが、図８に示すように生体の挿入方向ごとに複数の認証用のテンプレートを記憶するようにしてもよい。図８はテンプレート生成時の画像データおよび認証データファイル１３６に記憶されている認証用のテンプレートを模式的に示す説明図である。例えば、図８（ａ−１）、図８（ａ−２）はそれぞれ図３に示すセキュリティドア７００の左方から指を挿入したときの画像データおよび符号化により生成されるテンプレートであり、図８（ｂ−１）、図８（ｂ−２）はそれぞれ図３に示すセキュリティドア７００の右方から指を挿入したときの画像データおよび符号化処理により生成されるテンプレートである。認証データファイル１３６はどちらの生体挿入口から生体を挿入した時の認証用のテンプレートをも記憶しているので、ＣＰＵ１１０は測定画像データの回転処理、あるいは測定画像データの符号化後のデータの正規化処理を実行しなくてもよい。したがってデータ処理時間を短縮することができる。一般的に、９０度あるいは１８０度以外の角度の場合はデータの処理に時間がかかるので、生体の挿入方向ごとに複数の認証用のテンプレートを記憶することは有用である。なお、生体挿入方向を検知しているため、比較する認証用のテンプレートは同じ方向から生体を挿入したときの認証用のテンプレートだけでよい。したがって、ＣＰＵ１１０が比較する認証用のテンプレートの数は変わらない。すなわち、データ処理時間を短縮した分、認証時間を短縮することができる。
【００４６】
本実施例では、生体挿入方向を検知する挿入方向検知センサ２５０を備えているが、挿入方向検知センサ２５０を備えずに生体の挿入方向ごとに複数の認証用のテンプレートを記憶するようにしてもよい。いずれの方向から生体が挿入されても、認証装置１０は対応する認証用のテンプレートを記憶しているため、挿入方向を検知する挿入方向検知センサ２５０を備えなくて認証対象者を認証できる。その結果、挿入方向検知センサ２５０を備えなくてもよいので、製造コストを下げることができる。
【００４７】
以上、いくつかの実施例に基づいて本発明の実施の形態について説明してきたが、上記した発明の実施の形態は、本発明の理解を容易にするためのものであり、本発明を限定するものではない。本発明は、その趣旨並びに特許請求の範囲を逸脱することなく、変更、改良され得るとともに、本発明にはその等価物が含まれることはもちろんである。
【図面の簡単な説明】
【００４８】
【図１】本実施例に係る認証装置のブロック図。
【図２】生体画像データおよび本実施例に係る認証装置に記憶されているテンプレートを説明する説明図。
【図３】生体情報取得部が取り付けられたセキュリティドアの断面構造を模式的に示す説明図。
【図４】認証装置の動作を説明するフローチャート。
【図５】認証装置に指を挿入した時ときの状態を模式的に示す説明図。
【図６】認証時の画像データの処理を模式的に示す説明図。
【図７】変形例に係る認証装置に指を挿入した時ときの状態を模式的に示す説明図。
【図８】テンプレート生成時の画像データおよび認証データファイルに記憶されている認証用のテンプレートを模式的に示す説明図。
【符号の説明】
【００４９】
１０…認証装置
１００…制御部
１１０…ＣＰＵ
１２０…メモリ
１３０…ハードディスク
１３４…認証プログラム
１３６…認証データファイル
１５０…ドア用インターフェース
１６０…ネットワークインターフェース
１７０…入力インターフェース
１８０…出力インターフェース
２００…生体情報取得部
２１０…光源
２２０…生体情報取得センサ
２３０…画像処理部
２４０…コントローラ
２５０…挿入方向検知センサ
２６０…挿入口鍵
３００…ドア制御部
３１０…ドアロック制御部
４００…キーボード
４１０…マウス
５００…ディスプレイ
６００…ネットワーク
７００…セキュリティドア
７１０…生体測定室
７２０…ドアノブ
７３０…生体挿入用扉
７４０…スライドパネル
７５０…レール
７６０…ストッパ
７７０…生体支持台
【図１】
2008197712.tif 000003
【図２】
2008197712.tif 000004
【図３】
2008197712.tif 000005
【図４】
2008197712.tif 000006
【図５】
2008197712.tif 000007
【図６】
2008197712.tif 000008
【図７】
2008197712.tif 000009
【図８】
2008197712.tif 000010